(57)【特許請求の範囲】
【請求項１】
ａ）有機酸、
ｂ）無機酸、
ｃ）非イオン性界面活性剤、および
ｄ）脱臭性化合物
を含む繊維製品処理剤であって、有機酸の量は全繊維製品処理剤を基準に１０および２０重量％の間である、繊維製品処理剤。
【請求項２】
有機酸は、クエン酸、ギ酸、酢酸、酒石酸、リンゴ酸、シュウ酸、乳酸およびこれらの混合物からなる群から選択される、請求項１に記載の繊維製品処理剤。
【請求項３】
有機酸は、クエン酸および／またはギ酸を含む、請求項２に記載の繊維製品処理剤。
【請求項４】
無機酸が、リン酸、塩酸およびこれらの混合物からなる群から選択される、請求項１〜３のいずれか１つに記載の繊維製品処理剤。
【請求項５】
脱臭性化合物は、リシノール酸亜鉛、アビエチン酸亜鉛、シクロデキストリン、エッセンシャルオイル、トリエチレングリコール、炭酸水素ナトリウムおよびこれらの混合物からなる群から選択される、請求項１〜４のいずれか１つに記載の繊維製品処理剤。
【請求項６】
繊維製品処理剤は、液体疎水性化合物を更に含有する、請求項１〜５のいずれか１つに記載の繊維製品処理剤。
【請求項７】
液体疎水性化合物は、ベンジン、Ｃ１１〜１３イソパラフィン、Ｃ１６〜２０イソパラフィン、Ｃ８〜１３イソパラフィン、Ｃ９〜１２イソパラフィン、リモネン、ジオクチルエーテルおよびこれらの混合物からなる群から選択される、請求項６に記載の繊維製品処理剤。
【請求項８】
繊維製品処理剤は、１．５〜４．５の範囲のｐＨを有する、請求項１〜７のいずれか１つに記載の繊維製品処理剤。
【請求項９】
繊維製品編織布の洗浄、清浄および／または不快な臭気および汚れの発生を低減するための予備処理における、請求項１〜８のいずれか１つに記載の繊維製品処理剤の使用。
【発明の詳細な説明】
【技術分野】
【０００１】
本発明は、脱臭性化合物を含む繊維製品処理剤に関する。本発明はまた、前記繊維製品処理剤の使用に関する。
【背景技術】
【０００２】
繊維製品上の脱臭剤染みは、除去することが困難であると知られている汚れである。これらの染みは、脱臭剤が繊維製品上へ直接触れる場合、特に脱臭剤の成分、とりわけアルミニウム塩が、着用の際に汗と共に繊維製品上へ移る場合に生じる。
【０００３】
引き続きの繊維製品の洗浄による洗浄槽のアルカリ性ｐＨに起因して、アルミニウム塩は、繊維製品上へ沈殿し、および編織布上に固着し、これは、堆積物、変色または臭気の発生により明らかとなる。臭気の発生は、洗浄繊維製品が、固着アルミニウム塩を有する位置において熱および湿気へ曝される場合、例えばアイロンをかける場合、または着用する場合に（体の熱および新たな汗により）強められる。
【０００４】
変色は、汗に含まれ、および繊維製品上へ移される脂肪から、および脱臭剤の脂肪−または油−含有成分から生じる。
【０００５】
ＤＥ１００４３１１８Ａ１は、脱臭性化合物を含有する洗浄剤を開示し、これで処理された繊維製品において不快な臭気の発生を妨げる。
【先行技術文献】
【特許文献】
【０００６】
【特許文献１】独国特許第１００４３１１８Ａ１号明細書
【発明の概要】
【発明が解決しようとする課題】
【０００７】
本発明の課題は、繊維製品を洗浄および／または着用する際に脱臭剤と繊維製品との間での接触から生じる望ましくない効果、例えば堆積物、変色または臭気の発生等を低減することができる繊維製品処理剤を利用可能とすることであった。
【課題を解決するための手段】
【０００８】
上記課題は、
ａ）有機酸、
ｂ）無機酸、
ｃ）非イオン性界面活性剤、および
ｄ）脱臭性化合物
を含む繊維製品処理剤により達成される。
【発明を実施するための形態】
【０００９】
酸含有繊維製品処理剤は、汗およびアルミニウム塩から生じる堆積物を溶解または緩和することができる。その結果、脱臭性化合物は、堆積物中へおよび／または編織布中へ浸透することが可能となり、対象となるファッションにおいて不快な臭気について作用する。酸を有さない繊維処理剤の場合には、脱臭性化合物は、固着した堆積物を浸透することができないので表面的にのみ作用し得る。その洗浄性および／または脂肪溶解性作用に加えて、非イオン性界面活性剤は、不快な臭気のための可溶化剤として働き、不快な臭気を洗浄工程において洗浄槽より効率的に取り除くことができる。
【００１０】
有機酸は、クエン酸、ギ酸、酢酸、酒石酸、リンゴ酸、シュウ酸、乳酸およびこれらの混合物からなる群から選択されることが好ましい。有機酸は、クエン酸および／またはギ酸を含むことが特に好ましい。
【００１１】
無機酸は、リン酸、塩酸およびこれらの混合物からなる群から選択されることが更に好ましい。
【００１２】
更なる好ましい実施態様では、脱臭性化合物は、リシノール酸亜鉛、アビエチン酸亜鉛、シクロデキストリン、エッセンシャルオイル、トリエチレングリコール、炭酸水素ナトリウムおよびこれらの混合物からなる群から選択される。これらの化合物は、既知であり、効率的な脱臭性化合物である。
【００１３】
特に好ましい実施態様では、繊維製品処理剤は、液体疎水性化合物を更に含有する。液体疎水性化合物の添加は、脂肪および／または油により主に生じる変色を取り除くことを可能とする。
【００１４】
液体疎水性化合物は、ベンジン、Ｃ１１〜１３イソパラフィン、Ｃ１６〜２０イソパラフィン、Ｃ８〜１３イソパラフィン、Ｃ９〜１２イソパラフィン、リモネン、ジオクチルエーテルおよびこれらの混合物から選択することが好ましい。これらの化合物、特にリモネンおよびジオクチルエーテルは、高い拡がり性を示し、従って効率的に繊維製品編織布およびそこに存在する脂肪−および油−含有汚れ中へ浸透する。これらの疎水性化合物の全ては、室温（２３℃）において液体である。その低い分子量により、これらの化合物は、揮発性であり、従って繊維製品編織布から容易におよび残渣を伴わずに除去することができる。さらに、これらの化合物は、臭気的に中性であるか、またはむしろ心地よい匂いを有する。
【００１５】
繊維製品処理剤は、１．５〜４．５の範囲のｐＨを有することが更に好ましい。繊維製品処理剤の高い酸ｐＨは、アルミニウム塩含有堆積物を溶解または緩和する。
【００１６】
本発明はまた、本発明の繊維製品処理剤の、繊維製品編織布の洗浄、清浄および／または予備処理における使用にも関する。
【００１７】
本発明は、例を部分的に参照して以下に更に詳細に説明する。
【００１８】
繊維製品処理剤は、本質的構成物質として有機酸を含有する。有機酸は、クエン酸、ギ酸、酢酸、酒石酸、リンゴ酸、シュウ酸、乳酸またはこれらの混合物を包含し得る。有機酸は、クエン酸を含むことが特に好ましい。クエン酸は、臭気的に中性であり、安価であり、および硬水軟化特性を有する。特に好ましい実施態様では、繊維製品処理剤は、クエン酸およびギ酸を含有する。
【００１９】
有機酸の量は、好ましくは、いずれの場合にも全繊維製品処理剤を基準に５および３０重量％の間、より好ましくは１０および２０重量％の間である。
【００２０】
繊維製品処理剤は、第２本質的構成物質として無機酸を含有する。無機酸は、好ましくはリン酸、塩酸またはこれらの混合物を包含する。無機酸は、とりわけ繊維製品処理剤が７未満の酸ｐＨ、好ましくは１．５〜４．５の範囲のｐＨを有するように添加する。
【００２１】
無機酸の量は、好ましくは、いずれの場合にも全繊維製品処理剤を基準に０．５および１０重量％の間、より好ましくは１および５重量％の間である。
【００２２】
繊維製品処理剤は、第３本質的構成物質として、非イオン性界面活性剤を含有する。
【００２３】
適当な非イオン性界面活性剤は、アルコキシル化脂肪アルコール、アルコキシル化脂肪酸アルキルエステル、脂肪酸アミド、アルキルポリグルコシド、アルコキシル化脂肪酸アミド、ポリヒドロキシ脂肪酸アミド、Ｎ−メチルグルカミド、アルキルフェニルポリグリコールエーテルおよびこれらの混合物を包含する。
【００２４】
用いる非イオン性界面活性剤は、好ましくはアルコキシル化された、有利にはエトキシル化された、好ましくは８〜１８個の炭素原子およびアルコール１モルあたり平均１〜１２モルエチレンオキシドを有する、特に第１級アルコールであり、該アルコール残基は、直鎖または好ましくは２位においてメチル分枝してよく、または混合直鎖およびメチル分枝残基、例えばオキソアルコール残基中に通常存在する混合直鎖およびメチル分枝残基等を含有してよい。しかしながら、特に好ましいのは、１２〜１８個の炭素原子を有する天然由来のアルコールから、例えばヤシ油、パーム油、獣脂またはオレイルアルコールから構成される直鎖残基およびアルコール１モル当たり平均２〜８ＥＯを有するアルコールエトキシレートである。好ましいエトキシル化アルコールとしては、例えば３ＥＯ、４ＥＯまたは７ＥＯを有するＣ１２〜１４アルコール、７ＥＯを有するＣ９〜１１アルコール、３ＥＯ、５ＥＯ、７ＥＯまたは８ＥＯを有するＣ１３〜１５アルコール、３ＥＯ、５ＥＯまたは７ＥＯを有するＣ１２〜１８アルコールおよびこれらの混合物、例えば３ＥＯを有するＣ１２〜１４アルコールおよび７ＥＯを有するＣ１２〜１８アルコールの混合物等が挙げられる。示されたエトキシル化度は、特定生成物について整数または分数に対応し得る統計学的平均である。好ましいアルコールエトキシレートは、限られた同族体の分布（狭い範囲のエトキシレート、ＮＲＥ）を示す。これらの非イオン性界面活性剤に加えて、１２ＥＯより多いＥＯを有する脂肪アルコールを使用することもできる。これらの例は、１４ＥＯ、２５ＥＯ、３０ＥＯまたは４０ＥＯを有する獣脂肪アルコールである。ＥＯ基およびＰＯ基を共に分子中に含有する非イオン性界面活性剤もまた、本発明に従って使用することも可能である。（より高級な）分枝エトキシル化脂肪アルコールおよび非分枝エトキシル化脂肪アルコールの混合物、例えば７ＥＯを有するＣ１６〜１８脂肪アルコールおよび７ＥＯを有する２−プロピルヘプタノールの混合物もまた適当である。特に好ましくは、繊維製品処理剤は、７ＥＯを有するＣ１２〜１８脂肪アルコール、３ＥＯを有するＣ１２〜１４脂肪アルコール、２ＥＯを有するＣ１２〜１４アルコール、７ＥＯを有するＣ１２〜１６脂肪アルコールまたは５ＥＯを有するＣ１３〜１５オキソアルコールを非イオン性界面活性剤として含有する。
【００２５】
好ましいアミンオキシドは、例えばＮ−ココアルキル−Ｎ，Ｎ−ジメチルアミンオキシド、Ｎ−獣脂アルキル−Ｎ，Ｎ−ジヒドロキシエチルアミンオキシド、ミリスチル／セチルジメチルアミンオキシドまたはラウリルジメチルアミンオキシドである。
【００２６】
また、更なる非イオン性界面活性剤として使用可能であるのは、一般式：ＲＯ（Ｇ）ｘ〔式中、Ｒは、８〜２２個、好ましくは１２〜１８個の炭素原子を有する、第１級直鎖脂肪族残基またはメチル分枝、特に２位においてメチル分枝した脂肪族残基を表し、およびＧは、５または６個の炭素原子を有するグリコース単位、好ましくはグルコースを表す記号である〕で示されるアルキルグリコシドである。モノグリコシドおよびオリゴグリコシドの分布を示すオリゴマー化度ｘは１および１０の間の任意の数であり、ｘは好ましくは１．２〜１．４の間である。
【００２７】
非イオン性界面活性剤の量は、いずれの場合にも全繊維製品処理剤を基準に好ましくは０．５および２０重量％の間、より好ましくは１および１５重量％の間である。
【００２８】
繊維製品処理剤は、第４本質的構成物質として脱臭性化合物を含有する。脱臭性化合物は、好ましくは、リシノール酸亜鉛、アビエチン酸亜鉛、シクロデキストリン、エッセンシャルオイル、トリエチレングリコール、炭酸水素ナトリウムまたはこれらの混合物を包含し、リシノール酸亜鉛を、脱臭性化合物として好ましく用いる。リシノール酸亜鉛の効果は、臭気中和に基づくもの、すなわち、匂いを放つ物質へ化学的に結合し、もはや感覚的に認識できなくするものであり、従って作用の原理について臭気遮蔽性化合物または臭気（付臭剤）破壊性化合物のような他の脱臭性系とは異なる。
【００２９】
脱臭性化合物の量は、好ましくは、いずれの場合にも全繊維製品処理剤を基準に０．０１および５重量％の間、より好ましくは０．１および２重量％の間である。
【００３０】
本発明の特に好ましい実施態様では、繊維製品処理剤は、液体疎水性化合物を更に含有する。「液体」とは、本発明では、用いる疎水性化合物が２３℃にて液体凝集体状態にあることを意味する。液体疎水性化合物は、好ましくは１００〜６００の範囲の分子量を有する。１００〜６００の分子量を有する液体疎水性化合物は、揮発性であり、従ってこれと共に処理された繊維製品編織布上において後に残らない。これにより、液体疎水性化合物の繊維製品編織布上への濃縮堆積の問題は回避される。従って、用いる疎水性化合物の分子量が１００〜３００の範囲である場合は特に好ましい。
【００３１】
適当な液体疎水性化合物は、ベンジン、Ｃ１１〜１３イソパラフィン、Ｃ１６〜２０イソパラフィン、Ｃ８〜１３イソパラフィン、Ｃ９〜１２イソパラフィン、リモネン、ジオクチルエーテルまたはこれらの混合物を包含する。
【００３２】
用語「ベンジン」は、約８０〜１１０℃の沸騰範囲を有する石油蒸留画分を表す。
【００３３】
リモネンは、テルペン（単環式モノテルペン）の群からの天然物質である。２種類の光学異性体、（Ｒ）−（＋）−リモネン（Ｄ−（＋）−リモネンとも称される）および（Ｓ）−（−）−リモネン（Ｌ−（−）−リモネンとも称される）が存在する。２種類の光学異性体単独、または２種類の光学異性体のラセミ化合物（「ジペンテン」とも称される）は、いずれのも場合にも液体疎水性化合物として用いることができる。
【００３４】
リモネンは、良好な拡散特性を有し、従って繊維製品編織布およびその存在する油−および／または脂肪−含有変色中へ効率的に浸透する。更に、リモネンは心地よい臭気を有する。
【００３５】
ジオクチルエーテルは、臭気的に中性の無色油であり、１６００ｍｍ２／１０分の高い拡散性を有する。ジオクチルエーテルは、例えば表示Ｃｅｔｉｏｌ  ＣＥ（Ｃｏｇｎｉｓから）として市販されている。
【００３６】
繊維製品処理剤は、４つの本質的成分に加えて、繊維製品処理剤の応用工学および／または審美的特性を更に改良する更なる成分を含有してよい。本発明では、繊維製品処理剤は、好ましくは、アニオン性界面活性剤、ビルダー、漂白剤、漂白触媒、漂白活性剤、酵素、増粘剤、電解質、非水性溶媒、ｐＨ調整剤、香料組成物、香料担体、蛍光剤、染料、ヒドロトループ、抑泡剤、シリコーンオイル、汚れ解離ポリマー、灰色化抑制剤、収縮防止剤、しわ防止剤、色移り防止剤、更なる抗微生物活性物質、殺菌剤、防カビ剤、抗酸化剤、防腐剤、腐食防止剤、帯電防止剤、苦味剤、アイロンがけ助剤、撥水剤および含浸剤、膨張剤および滑り止め剤、軟化性成分およびＵＶ吸収剤の群からの１以上の物質を更に含有する。
【００３７】
特に好ましい更なる成分は、アニオン性界面活性剤、ビルダー、酵素、電解質、非水性溶媒、ｐＨ調整剤、香料組成物、蛍光剤、染料、ヒドロトループ、抑泡剤、汚れ解離ポリマー、灰色化抑制剤、色移り防止剤、増粘剤、ＵＶ吸収剤およびこれらの混合物である。
【００３８】
本発明の繊維製品処理剤は、好ましくは液体であり、および主な溶媒として水を含有する。さらに、繊維製品処理剤は、好ましくは酸ｐＨを有する。繊維製品処理剤は、洗浄剤、予備処理剤または洗浄剤添加剤であり得る。繊維製品処理剤は、好ましくは、主な洗浄循環において洗浄剤と共に用いる洗浄剤添加剤、または対象となるファッションにおいて脱臭剤染み上へ、例えば噴霧法によりまたは回転塗布機により塗布する予備処理剤である。
【００３９】
本発明の繊維製品処理剤は、通常の既知の手法および方法により製造する。例えば、洗浄または清浄剤の成分は、撹拌容器中で単に混合することができ、有利には、水、酸成分、例えばクエン酸、ギ酸、リン酸等および非イオン性界面活性剤をまず準備する。存在する場合には、非水性溶媒を、好ましくはこの時点において添加するが、後の時点において添加することもできる。次いで更なる成分を、好ましくは分けて添加する。
【実施例】
【００４０】
表１は、本発明による４つの繊維製品処理の組成物Ｅ１〜Ｅ４を示す（全ての量は、組成物を基準として重量％により示す）。
【００４１】
【表１】
0005908471.tif 000002
【００４２】
全ての４つの繊維製品処理剤Ｅ１〜Ｅ４は、脱臭剤の適用から生じた堆積物および変色を除去またはかなり低減することができた。さらに、本発明による繊維製品処理剤で処理した繊維製品は、着用した際に、特に脇の下領域において、不快な臭気の生成がかなり低減したことを示した。繊維製品処理剤Ｅ３およびＥ４は、脱臭剤の適用により生じた変色に対して特に良好な有効性を示した。
【００４３】
本発明による繊維製品処理剤は、脱臭剤の適用から生じた堆積物、変色および不快な臭気だけでなく複数の更なる染みおよび汚れについても清浄性能を示す。
【００４４】
繊維製品処理剤Ｅ１の染みを除去する能力は、色度Ｙ（ＤＩＮ５０３３）の決定により決定した。このために、家庭用洗濯機（Ｍｉｅｌｅ  Ｗ  ５２６）に、３．５ｋｇの付随洗濯物並びに着色クロス見本を装填した。さらに、９０ｍＬの液体強力洗浄剤を供給した。１つの場合では、着色クロス見本の上に繊維製品処理剤Ｅ１を噴霧し、および３０分間放置して作用させることにより着色クロス見本を予備処理した。Ｙ値は、４２０ｎｍにて決定した（装置：Ｄａｔａｃｏｌｏｒ  Ｓｐｅｃｔｒａｆｌａｓｈ  ６００、３０ｍｍ開口部）。
【００４５】
0005908471.tif 000003
【００４６】
複数の異なった汚れ、特にベリー、コーヒー、茶および赤ワインの汚れは、繊維製品処理剤Ｅ１を用いてかなり低減することができる。